【事件の表示】
　特願２００９−１６１４０９「画像処理方法及びそれを用いた液晶表示装置」拒絶査定不服審判事件〔平成２１年１０月　１日出願公開、特開２００９−２２３３４５〕について、次のとおり審決する。
【結　論】
　本件審判の請求は、成り立たない。
【理　由】
１．手続の経緯
　本願は、平成１５年３月３１日付けで出願した特願２００３−９６８６０号の一部を、平成２１年７月８日に特許法第４４条第１項の規定により新たな特許出願（特願２００９−１６１４０９号）としたものであって、平成２１年７月１０日付けで、明細書、特許請求の範囲及び図面についての補正がなされ（以下、「補正１」という。）、平成２３年１０月１４日付けで（送達：同年同月１８日）で拒絶査定がなされ、これに対し、平成２４年１月１２日に拒絶査定不服審判が請求されると同時に特許請求の範囲についての補正（以下、「本件補正」という。）がなされたものである。
　その後、当審より、平成２４年８月１６日付け審尋書により審尋をしたところ、指定した期間を過ぎても、請求人からは何らの回答もなかった。
　
　
２．補正却下の決定
　
［結論］
　本件補正を却下する。
　
［理由］
（１）補正の内容
　本件補正は、特許請求の範囲の請求項１を次のとおり補正するものである。
　
（本件補正前）
「【請求項１】
　表示すべき画像の輝度データより高輝度に画素を駆動する高輝度フレームと、前記輝度データより低輝度に前記画素を駆動する低輝度フレームとを組み合わせ、
　前記輝度データに基づく所望輝度にほぼ等しい輝度が得られるように、前記高輝度フレームでの前記画素の輝度及び前記低輝度フレームでの前記画素の輝度と、前記高輝度フレーム及び前記低輝度フレームの存在割合を決定すること
　を特徴とする画像処理方法。」
　
（本件補正後）
「【請求項１】
　表示すべき画像の輝度データより高輝度に画素を駆動する高輝度フレームと、前記輝度データより低輝度に前記画素を駆動する低輝度フレームとを組み合わせ、
　前記輝度データに基づく所望輝度にほぼ等しい輝度が得られるように、前記高輝度フレームでの前記画素の輝度及び前記低輝度フレームでの前記画素の輝度と、前記高輝度フレーム及び前記低輝度フレームの存在割合
と
に際し、
　
前記高輝度フレームのフレーム期間を前記低輝度フレームのフレーム期間よりも短く設定すること
　を特徴とする画像処理方法。」
（下線は補正箇所。）
　
　本件補正は、請求項１に記載した発明を特定するために必要な事項である「前記高輝度フレーム及び前記低輝度フレームの存在割合」について「前記高輝度フレームのフレーム期間を前記低輝度フレームのフレーム期間よりも短く設定する」との限定を付加するものであって、特許請求の範囲の減縮を目的とするものに該当する。
　そこで、本件補正後の請求項１に記載された発明（以下、「本願補正発明」という。）が特許出願の際独立して特許を受けることができるものであるかについて、以下に検討する。
　
（２）引用例記載の事項・引用発明
（２−１）記載事項
　原査定の拒絶の理由に引用され、本願出願前に頒布された刊行物である特開２０００−３３８４６４号公報（以下、「引用例」という。）には、表示素子、液晶素子、液晶装置、及び表示装置の駆動方法（発明の名称）に関し、次の事項（ａ）ないし（ｃ）が図面とともに記載されている。
　
（ａ）
「【０１４１】次に、本実施の形態に係る表示装置１００の駆動方法について、図１６及び図１７を参照して説明する。
【０１４２】本実施の形態においては、１つのフレーム期間Ｆ0 を、図１６に示すように複数のフィールド期間Ｆ1 ，Ｆ2 ，Ｆ3 に分割し、各フィールド期間Ｆ1 ，Ｆ2 ，Ｆ3 をさらに複数のサブフィールド期間１Ｆ，２Ｆに分割し、前記カラー光源１０１から前記表示素子８０に対してはフィールド期間Ｆ1 ，Ｆ2 ，Ｆ3 毎に色を変えながら複数色の光を順次出射させ（同図(a) 参照）、前記表示素子８０によって前記光の出射に同期した該光のスイッチングを行うことにより、１つのフィールド期間Ｆ1 ，Ｆ2 又はＦ3 における少なくとも１つのサブフィールド期間１Ｆにおいては高輝度画像を表示すると共に、他の少なくとも１つのサブフィールド期間２Ｆにおいては低輝度画像を表示する（同図(d)参照）、ようになっており、各フィールド期間Ｆ1 ，Ｆ2 ，Ｆ3 毎に表示されるカラー画像が視覚的に混色されてフルカラー画像として認識されるようになっている。
【０１４３】この場合、各フィールド期間Ｆ1 ，Ｆ2 ，Ｆ3 を、図１７に示すように３つのサブフィールド期間１Ｆ，２Ｆ，３Ｆに分割し、１つのサブフィールド期間１Ｆにおいては高輝度画像を表示し、１つのサブフィールド期間２Ｆにおいては低輝度画像を表示し、残りの１つのサブフィールド期間３Ｆにおいては輝度をほぼ０にする、ようにしてもよい。
【０１４４】また、１つのフレーム期間Ｆ0 に含まれるフィールド期間の数は、カラー光源１０１から照射される各色光の数に応じて決定すれば良い。例えば、カラー光源１０１から照射される各色光がＲＧＢ（赤色、緑色、青色）の３色である場合には、１つのフレーム期間Ｆ0 に含まれるフィールド期間の数を３つ（Ｆ1 ，Ｆ2，Ｆ3 ）とすれば良い。
【０１４５】さらに、同一フィールド期間Ｆ1 ，Ｆ2 又はＦ3 における高輝度画像と低輝度画像とは、輝度が異なるだけの同一画像とすれば良く、各フィールド期間Ｆ1 ，Ｆ2 又はＦ3 における画像は、照射されている光の色に応じた画像（すなわち、フルカラー画像の色再現性が良好となるような画像）とすれば良い。
【０１４６】一方、前記低輝度画像の輝度が、前記高輝度画像の輝度の１／５以下でかつ０より大きくなるようにすると良い。かかる輝度の調整は、表示素子８０として液晶素子を用いた場合には、前記一対の電極８２ａ，８２ｂに電圧を印加して前記液晶８５を駆動し光の透過率を調整することによって達成すれば良く、図７に示す特性の液晶８５を用いた場合には、高輝度画像の場合には＋Ｖ1 なる電圧を印加し、低輝度画像の場合には−Ｖ1 なる電圧を印加すれば良い。
【０１４７】また、表示素子８０における画像表示は線順次走査で行えば良い。
【０１４８】図１４は、表示装置の駆動方法の一例として、図１１及び図１２に示したアクティブマトリクス型液晶素子の駆動方法を示す図であり、同図(a) は、ある１本のゲート線Ｇi にゲート電圧Ｖｇが印加される様子を示し、同図(b) は、ある１本のソース線Ｓj にソース電圧Ｖｓが印加される様子を示し、同図(c) は、これらゲート線Ｇi 及びソース線Ｓj の交差部の画素（すなわち、液晶４９）に電圧Ｖｐｉｘが印加される様子を示し、同図(d) は、当該画素における透過光量の変化を示す。
【０１４９】本駆動方法においては、１つのフレーム期間Ｆ0 を３つのフィールド期間Ｆ1，Ｆ2 ，Ｆ3 に分割し、各フィールド期間Ｆ1 ，Ｆ2 ，Ｆ3 をさらに２つのサブフィールド期間１Ｆ，２Ｆに分割している。したがって、フレーム周波数を６０Ｈｚとした場合には、１フレーム期間Ｆ0 は１６．７ｍｓｅｃとなり、１つのフィールド期間Ｆ1 ，Ｆ2 ，Ｆ3 は１６．７ｍｓｅｃ／３≒５．５ｍｓｅｃとなり、１つのサブフィールド期間１Ｆ，２Ｆは５．５ｍｓｅｃ／２≒２．８ｍｓｅｃとなる。また、液晶４９には、図７に示す電圧−透過光量特性のものが用いられている。」
　
（ｂ）
「【０１５６】一方、図１７は、同じく図１１及び図１２に示したアクティブマトリクス型液晶素子の駆動方法を示す図であるが、各フィールド期間Ｆ1 ，Ｆ2 ，Ｆ3 を２つではなく３つのサブフィールド期間１Ｆ，２Ｆ，３Ｆに分割している。なお、同図(a) は、カラー光源１０１から照射される光を示し、同図(b) は、ある１本のゲート線Ｇ1 にゲート電圧Ｖｇが印加される様子を示し、同図(c) は、ある１本のソース線Ｓi にソース電圧Ｖｓが印加される様子を示し、同図(d) は、これらゲート線Ｇ1 及びソース線Ｓi の交差部の画素（すなわち、液晶４９）に電圧Ｖｐｉｘが印加される様子を示し、同図(e) は、当該画素における透過光量の変化を示す。また、同図(f) は、ある１本のゲート線Ｇn にゲート電圧Ｖｇが印加される様子を示し、同図(g) は、ある１本のソース線Ｓj にソース電圧Ｖｓが印加される様子を示し、同図(h) は、これらゲート線Ｇn 及びソース線Ｓj の交差部の画素（すなわち、液晶４９）に電圧Ｖｐｉｘが印加される様子を示し、同図(i) は、当該画素における透過光量の変化を示す。
【０１５７】本駆動方法においては、最初の２つのサブフィールド期間１Ｆ，２Ｆにおいては、図１４と同様の方法によって駆動されるが、３つ目のサブフィールド期間３Ｆにおいては、ソース線Ｓi の電位を０Ｖにした状態でゲート線Ｇ1 に再びゲート電圧Ｖｇが印加される（同図(b) (c) 参照）。これによって、液晶容量Ｃｌｃ及び保持容量Ｃｓが除電され、液晶４９は電圧が印加されていない状態となり、透過光量Ｔ3 は０％となる（同図(d) (e) 参照）。このようにして、最後のゲート線Ｇn まで走査されて液晶４９のスイッチングが行われ（同図(f) 〜(i) 参照）、１フィールド期間Ｆ1 全体ではＴｘ（＝Ｔ1 ）とＴｙ（＝Ｔ2 ）とＴｚ（＝０Ｖ）とを平均した透過光量が得られる。」
　
（ｃ）
「【０１６０】本実施の形態によれば、高輝度画像及び低輝度画像の両方を表示するため、１フィールド期間Ｆ1 ，Ｆ2 ，Ｆ3 全体ではそれらを平均した輝度の画像が表示されていることと等価となり、従来のように画像を全く表示しない期間を設ける場合に比べて画像の輝度を高めることができる。また、カラー光源１０１を高輝度化する必要もなく、消費電力を低くすることができる。」
　
・前記記載（ａ）（特に、段落【０１４３】、【０１４６】の記載）、記載（ｂ）（特に、段落【０１５７】の記載）、記載（ｃ）及び【図１７】より、
（ア）「フィールド期間（Ｆ１）全体で平均された画像の輝度より高輝度に画素を駆動する高輝度サブフィールド期間（１Ｆ）と、前記輝度より低輝度に画素を駆動する低輝度サブフィールド期間（２Ｆ、３Ｆ）とを組み合わせる」との技術的事項が読み取れる。
　
・前記記載（ａ）（特に、段落【０１４３】、【０１４６】、【０１４９】の記載）、記載（ｂ）（特に、段落【０１５７】の記載）、記載（ｃ）及び【図１７】より、
（イ）「高輝度サブフィールド期間（１Ｆ）での画素の輝度及び低輝度サブフィールド期間（２Ｆ、３Ｆ）での画素の輝度と、高輝度サブフィールド期間（１Ｆ）及び低輝度サブフィールド期間（２Ｆ、３Ｆ）の存在割合を決定する」との技術的事項が読みとれる。
　
・前記記載（ａ）（特に、段落【０１４３】、【０１４９】の記載）及び【図１７】より、
（ウ）「高輝度サブフィールド期間（１Ｆ）の期間が低輝度サブフィールド期間（２Ｆ、３Ｆ）の期間よりも短く設定されている」との技術的事項が読みとれる。
　
（２−２）引用発明
　以上の技術的事項（ア）ないし（ウ）を総合勘案すると、引用例には次の発明が記載されているものと認められる。
　
「フィールド期間（Ｆ１）全体で平均された画像の輝度より高輝度に画素を駆動する高輝度サブフィールド期間（１Ｆ）と、前記輝度より低輝度に画素を駆動する低輝度サブフィールド期間（２Ｆ、３Ｆ）とを組み合わせ、
　高輝度サブフィールド期間（１Ｆ）での画素の輝度及び低輝度サブフィールド期間（２Ｆ、３Ｆ）での画素の輝度と、高輝度サブフィールド期間（１Ｆ）及び低輝度サブフィールド期間（２Ｆ、３Ｆ）の存在割合を決定するに際し、
　高輝度サブフィールド期間（１Ｆ）の期間を低輝度サブフィールド期間（２Ｆ、３Ｆ）の期間よりも短く設定すること
　を特徴とする画像処理方法。」（以下、「引用発明」という。）
　
（３）対比・判断
　
　本願補正発明と引用発明とを対比する。
　
ア．引用発明における「フィールド期間（Ｆ１）全体で平均された画像の輝度」は、画素において表示される画像の輝度であるところ、表示装置は、表示すべき画像の輝度データに基づく所望輝度に等しい輝度となるように画素を駆動するものであるから、「フィールド期間（Ｆ１）全体で平均された画像の輝度」は「表示すべき画像の輝度」である。そうすると、引用発明においても、本願補正発明と同様に、表示すべき画像の輝度データより高輝度に画素を駆動し、また、表示すべき画像の輝度データより低輝度に画素を駆動しているといえる。
　
イ．引用発明における「サブフィールド期間」は、１つの画像を表示する期間を分割された期間であるから、本願補正発明における「フレーム」に相当する。
　
ウ．表示装置は、表示すべき画像の輝度データに基づく所望輝度に等しい輝度となるように画素を駆動するものであるから、引用発明においても、高輝度サブフィールド期間（１Ｆ）での画素の輝度、低輝度サブフィールド期間（２Ｆ、３Ｆ）での画素の輝度、高輝度サブフィールド期間（１Ｆ）及び低輝度サブフィールド期間（２Ｆ、３Ｆ）の存在割合は、表示すべき画像の輝度データに基づく所望輝度にほぼ等しい輝度が得られるように決定されているといえる。
　
　以上のとおりであるから、本願補正発明と引用発明とは、実質的に異なるところはない。
　
　したがって、本願補正発明は、引用例に記載された発明であるから、特許法第２９条第１項第３号の規定により特許出願の際独立して特許を受けることができない。
　
（４）むすび
　以上のとおり、本件補正は、平成１８年法律第５５号改正附則第３条第１項によりなお従前の例によるとされる同法による改正前の特許法第１７条の２第５項で準用する同法第１２６条第５項の規定に違反するものであるから、同法第１５９条第１項において読み替えて準用する同法第５３条第１項の規定により却下すべきものである。
　
　
３．本願発明について
　本件補正は前記のとおり却下されたので、本願の請求項１ないし６に係る発明は、補正１によって補正された明細書、特許請求の範囲及び図面の記載からみて、その特許請求の範囲の請求項１ないし６に記載された事項により特定されるとおりのものと認められるところ、その請求項１に係る発明は次のとおりである。
「表示すべき画像の輝度データより高輝度に画素を駆動する高輝度フレームと、前記輝度データより低輝度に前記画素を駆動する低輝度フレームとを組み合わせ、
　前記輝度データに基づく所望輝度にほぼ等しい輝度が得られるように、前記高輝度フレームでの前記画素の輝度及び前記低輝度フレームでの前記画素の輝度と、前記高輝度フレーム及び前記低輝度フレームの存在割合を決定すること
　を特徴とする画像処理方法。」（以下、「本願発明」という。）
　
（１）引用例記載の事項・引用発明
　（１−１）記載事項
　原査定の拒絶の理由に引用された引用例である特開２０００−３３８４６４号公報には、表示素子、液晶素子、液晶装置、及び表示装置の駆動方法（発明の名称）に関し、次の事項（ａ）ないし（ｃ）が図面とともに記載されている。
　
（ａ）
「【００２０】
【発明の実施の形態】（第１の実施の形態）本発明の表示素子では、高輝度（第一の輝度）のフレームと、低輝度（第二の輝度）のフレームより画像を形成し、これら両フレームで夫々輝度は異なるが実質的には同様の内容の画像を表示することで、人間が高速と感じられる動画像を得ることができ、更に０ではない低輝度のフレームの設定により表示素子の明るさを大きく損なうことのない動画表示を実現することができる。」
　
（ｂ）
「【０１１８】図１３及び図１４を参照して上記構造の液晶素子における特性を利用したアクティブマトリックス駆動について述べる。本発明の液晶素子におけるアクティブマトリックス駆動では、例えば一画素においてある情報を表示するための期間（１フレーム）を複数のフィールド（例えば図１３に示す１Ｆ及び２Ｆ）に分割し、これら２フィールドにおいて平均的に所定の情報に応じた出射光量を得る。以下では、液晶層４９が図７に示すような光学特性を示す場合における２フィールドに分割された例について説明する。
【０１１９】図１４（ａ）は、一画素を着目した際に、当該画素に接続する走査線となる一ゲート線に印加される電圧を示す。上記構造の液晶素子では、各フィールド毎にゲート線Ｇ１、Ｇ２…が例えば線順次で選択され、一ゲート線には選択期間Ｔｏｎにおいて所定のゲート電圧Ｖｇが印加され、ゲート電極２２に電圧Ｖｇが加わりＴＦＴ９４がオン状態となる。他のゲート線が選択されている期間に相当する非選択期間Ｔｏｆｆにはゲート電極２２に電圧が加わらずＴＦＴ１２は高抵抗状態（オフ状態）となり、Ｔｏｆｆ毎に所定の同一のゲート線が選択されてゲート電極２２にゲート電圧Ｖｇが印加される。
【０１２０】図１４（ｂ）は、当該画素の情報信号線（ソース線）に印加される電圧Ｖｓを示す。図１４（ａ）で示すように各フィールドで選択期間Ｔｏｎでゲート電極２２にゲート電圧が印加された際、これに同期して当該画素に接続する情報線となるソース線Ｓ１、Ｓ２…からソース電極２７に、所定のソース電圧（情報信号電圧）Ｖｓ（基準電位を共通電極４２の電位Ｖｃとする）が印加される。
【０１２１】ここで、１フレームを構成する第一のフィールド（１Ｆ）では、当該画素に書込まれる情報、例えば用いる液晶に応じた図７に示すような電圧−透過率特性を基に当該画素で得ようとする光学状態又は表示情報（透過率）に応じたレベルＶｘの正極性のソース電圧（情報信号電圧）（基準電位を共通電極４２の電位Ｖｃとする）が印加される。この時、ＴＦＴ１４がオン状態であるため、上記ソース電極２７に印加される電圧Ｖｘがドレイン電極２８を介して画素電極（９５）に印加され、液晶容量（Ｃｌｃ）３１及び保持容量３２（Ｃｓ）に充電がなされ、画素電極の電位が情報信号電圧Ｖｘになる。続いて、当該画素の属するゲート線の非選択期間ＴｏｆｆにおいてＴＦＴ１４は高抵抗（オフ状態）となるため、この非選択期間には、液晶セル（液晶容量Ｃｌｃ）３１及び保持容量（Ｃｓ）３２では選択期間Ｔｏｎで充電された電荷が蓄積された状態を維持し、電圧Ｖｘが保持される。そして、当該画素における液晶層４９に第１フィールド１Ｆの期間を通して電圧Ｖｘが印加され、当該画素の液晶部分ではこの電圧値に応じた光学状態（透過光量）が得られる。
【０１２２】次に、第二のフィールド（２Ｆ）の選択期間Ｔｏｎでは、第一のフィールド１Ｆとは極性が逆で実質的に同様の電圧値Ｖｘを有するソース電圧（−Ｖｘ）がソース電極２７に印加される。この時、ＴＦＴ１４がオン状態であり、画素電極９５に電圧−Ｖｘが印加されて、液晶容量（Ｃｌｃ）３１及び保持容量３２（Ｃｓ）に充電がなされ、画素電極の電位が情報信号電圧−Ｖｘになる。続いて、非選択期間ＴｏｆｆにおいてＴＦＴ１４は高抵抗（オフ状態）となるため、この非選択期間には、液晶セル（液晶容量Ｃｌｃ）３１及び保持容量（Ｃｓ）３２では選択期間Ｔｏｎで充電された電荷が蓄積された状態を維持し、電圧−Ｖｘが保持される。そして、当該画素における液晶層４９に第２のフィールド２Ｆ期間を適して電圧−Ｖｘが印加され、当該画素ではこの電圧値に応じた光学状態（出射光量）が得られる。
【０１２３】図１４（ｃ）は、上述したような当該画素の液晶容量及び保持容量に実際に保持され液晶層４９に印加される電圧値Ｖｐｉｘを、図１４（ｄ）は当該画素での液晶の実際の光学応答（透過型液晶素子した場合での光学応答）を模式的に示す。
【０１２４】（ｃ）に示すように、２フィールド１Ｆ及び２Ｆを通じて印加電圧は互いに極性が反転しただけの同一レベル（絶対値）Ｖｘである。一方、（ｄ）に示すように第一フィールド１Ｆでは、例えば図７に示す特性に基づいてＶｘに応じた階調表示状態（出射光量）が得られ、第二フィールド２Ｆでは、−Ｖｘに応じた階調表示状態が得られるが、例えば図７に示すような特性によれば実際にはわずか透過光量の変化しか得られず、透過光量はＴｘ（＝Ｔ1 ）より小さく、０レベルに近いＴｙ（＝Ｔ2 ）となる。」
　
（ｃ）
「【０１２７】上記のアクティブマトリックス駆動では、２フィールドからなる１フレーム全体では、ＴｘとＴｙを平均した透過光量が得られる。このため、情報信号電圧Ｖｓについては、図７に示す特性に沿って、実際に当該フレームで当該画素で得ようとする画像情報（階調情報）に応じて、所定のレベルだけ大きな透過光量を得ることのできる電圧値を選択して印加することで、第一フィールド１Ｆにおいて、所望の階調状態より高いレベル透過光量での階調状態を表示することも好ましい。」
　
・前記記載（ａ）、（ｂ）（特に、段落【０１１８】の記載）、記載（ｃ）及び【図１４】より、
（ア）「フレーム全体で平均された画像の輝度より高輝度に画素を駆動する高輝度の第一のフィールド（１Ｆ）と、前記輝度より低輝度に画素を駆動する低輝度の第二のフィールド（２Ｆ）とを組み合わせる」、
（イ）「高輝度の第一のフィールド（１Ｆ）での画素の輝度及び低輝度の第二のフィールド（２Ｆ）での画素の輝度と、高輝度の第一のフィールド（１Ｆ）及び低輝度の第二のフィールド（２Ｆ）の存在割合を決定する」との技術的事項が読みとれる。
　
（１−２）引用発明
　以上の技術的事項（ア）、（イ）を総合勘案すると、引用例には次の発明が記載されているものと認められる。
　
「フレーム全体で平均された画像の輝度より高輝度に画素を駆動する高輝度の第一のフィールド（１Ｆ）と、前記輝度より低輝度に画素を駆動する低輝度の第二のフィールド（２Ｆ）とを組み合わせ、
　高輝度の第一のフィールド（１Ｆ）での画素の輝度及び低輝度の第二のフィールド（２Ｆ）での画素の輝度と、高輝度の第一のフィールド（１Ｆ）及び低輝度の第二のフィールド（２Ｆ）の存在割合を決定すること
　を特徴とする画像処理方法。」（以下、「引用発明２」という。）
　
（２）対比・判断
　
　本願発明と引用発明２とを対比する。
　
ア．引用発明２における「フレーム全体で平均された画像の輝度」は、画素において表示される画像の輝度であるところ、表示装置は、表示すべき画像の輝度データに基づく所望輝度に等しい輝度となるように画素を駆動するものであるから、「フレーム全体で平均された画像の輝度」は「表示すべき画像の輝度」であるといえる。そうすると、引用発明２においても、本願発明と同様に、表示すべき画像の輝度データより高輝度に画素を駆動し、また、表示すべき画像の輝度データより低輝度に画素を駆動しているといえる。
　
イ．引用発明２における「フィールド」は、１つの画像を表示する期間を分割された期間であるから、本願発明における「フレーム」に相当する。
　
ウ．表示装置は、表示すべき画像の輝度データに基づく所望輝度に等しい輝度となるように画素を駆動するものであるから、引用発明２においても、高輝度の第一のフィールド期間（１Ｆ）での画素の輝度、低輝度の第二のフィールド期間（２Ｆ）での画素の輝度、高輝度の第一のフィールド期間（１Ｆ）及び低輝度の第二のフィールド期間（２Ｆ）の存在割合は、表示すべき画像の輝度データに基づく所望輝度にほぼ等しい輝度が得られるように決定されているといえる。
　
　以上のとおりであるから、本願発明と引用発明２とは、実質的に異なるところはない。
　
（３）むすび
　以上のとおり、本願発明は、引用例に記載された発明であるから、特許法第２９条第１項第３号の規定により特許を受けることができない。
　したがって、他の請求項に係る発明について審理するまでもなく、本願は拒絶すべきものである。
　よって、結論のとおり審決する。